(57)【要約】【課題】蟹の殻を確実に剥くことができ、さらに、蟹の身を容易に取り出すことができる蟹用ピーラーを提供する。【解決手段】蟹用ピーラー（１００）には、一端に蟹の殻を剥くための殻剥き部（１３０）が形成され、他端に蟹の肉を取り出すためのアーム（１４０）が形成されている。蟹用ピーラー（１００）は、長手方向に延びる金属板（１１０）と、金属板（１１０）の中央部分を含む領域に形成されているグリップ部（１２０）と、からなり、殻剥き部（１３０）は、金属板（１１０）の一端（１１１）を含む領域（１１２）を斜め上方に湾曲させ、領域（１１２）内において下方に突出させたＶ字型形状からなり、アーム（１４０）は、金属板（１１０）の他端（１１４）を含む領域（１１５）を斜め下方に湾曲させ、他端（１１４）を３方向に突出させた形状からなる。【選択図】図１
0003127397.tif 000002
【実用新案登録請求の範囲】
【請求項１】
一端に蟹の殻を剥くための殻剥き部が形成され、他端に蟹の肉を取り出すためのアームが形成されている蟹用ピーラーであって、
前記蟹用ピーラーの長手方向に延びる金属板と、前記金属板の中央部分を含む領域に形成されたグリップ部と、からなり、
前記殻剥き部は、前記金属板の一端を含む領域を斜め上方に湾曲させ、前記領域内において下方に突出させたＶ字型形状からなり、
前記アームは、前記金属板の他端を含む領域を斜め下方に湾曲させ、前記他端を複数の方向に突出させた形状からなる蟹用ピーラー。
【請求項２】
前記グリップ部は上下方向において厚みを有しており、前記グリップ部の上面には、縦断面が円弧形状をなしている少なくとも一つの凹部または凸部が形成されていることを特徴とする請求項１に記載の蟹用ピーラー。
【請求項３】
前記金属板は、幅方向の内側に短くなっている凹状の領域または幅方向の外側に長くなっている凸状の領域を有していることを特徴とする請求項１または２に記載の蟹用ピーラー。
【考案の詳細な説明】
【技術分野】
【０００１】
本考案は、蟹の殻を剥くとともに、蟹の身を取り出すのに有用な蟹用ピーラーに関する。
【背景技術】
【０００２】
これにまでに種々の蟹用ピーラーが提案されている。従来の蟹用ピーラーの一例として実開平５−４４０５５号公報に記載されたものがある。
【０００３】
図５は同公報に記載された蟹用ピーラー１０の斜視図である。
【０００４】
蟹用ピーラー１０は金属板からなる本体１１を有しており、本体１１の一端にはＶ字型の刃１２が取り付けられており、本体１１の他端にはスプーン１３が形成されている。
【０００５】
この蟹用ピーラー１０の使用方法は以下の通りである。
【０００６】
先ず、Ｖ字型の刃１２で蟹の殻を剥く。次いで、スプーン１３を蟹の身をすくい取る。
【０００７】
なお、上記公報に記載されたピーラー１０は野菜を加工するためのものとして記載されているが、蟹の殻を剥くためのピーラーとしても使用可能であることは容易に類推できるので、従来技術として記載したものである。
【考案の開示】
【考案が解決しようとする課題】
【０００８】
図５に記載した従来のピーラー１０には次のような問題点があった。
【０００９】
第一に、Ｖ字型の刃１２では蟹の殻を剥きにくいという点である。
【００１０】
図５に示すように、Ｖ字型の刃１２の上方には本体１１が延びており、Ｖ字型の刃１２の上方は本体１１により覆われている。このため、Ｖ字型の刃１２を蟹の殻に引っ掛けたりするときに、Ｖ字型の刃１２の上方の本体１１の部分が邪魔になることがあった。さらには、Ｖ字型の刃１２により剥いた蟹の殻がＶ字型の刃１２の上方の本体１１の部分に引っ掛かり、剥いた殻を円滑に排出できないこともあった。
【００１１】
第二に、スプーン１３では蟹の身をすくい取ることは難しいという点である。
【００１２】
特に、蟹の殻が小さい場合には、スプーン１３を殻の中に入れられないこともあり、スプーン１３で蟹の身をすくい取ることは必ずしも可能ではなかった。
【００１３】
本考案は以上のような問題点に鑑みてなされたものであり、蟹の殻を確実に剥くことができ、さらに、蟹の身を容易に取り出すことができる蟹用ピーラーを提供することを目的とする。
【課題を解決するための手段】
【００１４】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１５】
上記の目的を達成するため、本考案は、一端に蟹の殻を剥くための殻剥き部（１３０）が形成され、他端に蟹の肉を取り出すためのアーム（１４０）が形成されている蟹用ピーラー（１００、２００）であって、前記蟹用ピーラーの長手方向に延びる金属板（１１０）と、前記金属板（１１０）の中央部分を含む領域に形成されたグリップ部（１２０）と、からなり、前記殻剥き部（１３０）は、前記金属板（１１０）の一端（１１１）を含む領域（１１２）を斜め上方に湾曲させ、前記領域（１１２）内において下方に突出させたＶ字型形状からなり、前記アーム（１４０）は、前記金属板（１１０）の他端（１１４）を含む領域（１１５）を斜め下方に湾曲させ、前記他端（１１４）を複数の方向に突出させた形状からなる蟹用ピーラー（１００、２００）を提供する。
【００１６】
前記グリップ部（１２０）は上下方向において厚みを有しており、前記グリップ部（１２０）の上面には、縦断面が円弧形状をなしている少なくとも一つの凹部（２３０）または凸部が形成されていることが好ましい。
【００１７】
前記金属板（１１０）は、幅方向の内側に短くなっている凹状の領域（１１６）または幅方向の外側に長くなっている凸状の領域（１１６）を有していることが好ましい。
【考案の効果】
【００１８】
蟹の殻を剥くときには、殻剥き部を使用する。蟹の殻の内側に殻剥き部の頂点（Ｖ字の下端）を引っ掛け、蟹用ピーラーを手前に引くことにより、蟹の殻を剥くことができる。
【００１９】
図５に示した従来の蟹用ピーラーにおいては、蟹の殻を剥くときに、Ｖ字型の刃１２の上方の本体１１の部分が邪魔になったり、Ｖ字型の刃１２により剥いた蟹の殻がＶ字型の刃１２の上方の本体１１の部分に引っ掛かり、剥いた殻を円滑に排出できないことがあった。
【００２０】
これに対して、本考案の請求項１に係る蟹用ピーラーによれば、Ｖ字型に形成されている殻剥き部の上方には何も形成されていない。このため、従来の蟹用ピーラーとは異なり、蟹の殻を剥くときに邪魔になったり、蟹の殻を円滑に排出できないということはなく、円滑に蟹の殻を剥くことが可能である。
【００２１】
また、蟹の殻を剥いた後に、殻の中の身を取り出すときには、アームを使用する。アームは金属板の先端から複数方向に延びる突出部からなるため、殻の中の身を取り出すときに、極めて容易に身を掬い出すことが可能である。
【００２２】
また、本考案の請求項２に係る蟹用ピーラーによれば、ユーザーは、殻剥き部を使用して蟹の殻を剥くときに、あるいは、アームを使用して蟹の殻から身を掬い出すときに、親指を凹部の中に入れて、あるいは、親指を凸部に引っ掛けて、蟹用ピーラーをより強固に支持することが可能である。
【００２３】
また、本考案の請求項３に係る蟹用ピーラーによれば、殻剥き部を使用する場合に、ユーザーは、凹状領域に指を引っ掛けることにより、金属板を確実に、かつ、強固に保持することができる。
【考案を実施するための最良の形態】
【００２４】
（第一の実施形態）
図１は、本考案の第一の実施形態に係る蟹用ピーラー１００を上方から見たときの平面図であり、図２は、蟹用ピーラー１００の側面図である。
【００２５】
本実施形態に係る蟹用ピーラー１００は、蟹用ピーラー１００の長手方向に延びる金属板１１０と、金属板１１０の中央部分を含む領域に形成されているグリップ部１２０と、から構成されている。
【００２６】
金属板１１０は、例えば、ステンレス鋼からなり、グリップ部１２０は、例えば、エラストマーからなる。
【００２７】
グリップ部１２０は、図２に示すように、上下方向に一定の厚みを有しており、その内部に金属板１１０を包み込んでいる。
【００２８】
金属板１１０の一端（図１の右端）には、蟹の殻を剥くための殻剥き部１３０が形成されており、金属板１１０の他端（図１の左端）には、蟹の肉を取り出すためのアーム１４０が形成されている。
【００２９】
殻剥き部１３０は、金属板１１０の端部１１１を含む矩形状の領域１１２を斜め上方に湾曲させ、領域１１２内の金属板１１０の部分を下方にＶ字型に突出させた形状を有している。
【００３０】
なお、領域１１２内には、金属板１１０の部分を下方にＶ字型に突出させるために、ほぼ矩形状の開口部１１３が形成されている。
【００３１】
さらに、金属板１１０の他端（図１の左端）に形成されているアーム１４０は、金属板１１０の端部１１４を含む矩形状の領域１１５を斜め下方に湾曲させ、端部１１４を３つの異なる方向に突出させた形状からなる。
【００３２】
また、グリップ部１２０と、殻剥き部１３０が形成されている領域１１２との間には、上方から見たときに、金属板１１０の幅方向の内側に短くなっている凹状の領域１１６が形成されている。この凹状の領域１１６は円弧形状をなしている。
【００３３】
以下、本実施形態に係る蟹用ピーラー１００の使用方法及び作用について説明する。
【００３４】
蟹の殻を剥くときには、殻剥き部１３０を使用する。蟹の殻の内側に殻剥き部１３０の頂点（Ｖ字の下端）を引っ掛け、蟹用ピーラー１００を手前に引くことにより、蟹の殻を剥くことができる。
【００３５】
図５に示した従来の蟹用ピーラーにおいては、蟹の殻を剥くときに、Ｖ字型の刃１２の上方の本体１１の部分が邪魔になったり、Ｖ字型の刃１２により剥いた蟹の殻がＶ字型の刃１２の上方の本体１１の部分に引っ掛かり、剥いた殻を円滑に排出できないことがあった。これに対して、本実施形態に係る蟹用ピーラー１００によれば、Ｖ字型に形成されている殻剥き部１３０の上方には何も存在しないため、従来の蟹用ピーラーとは異なり、蟹の殻を剥くときに邪魔になったり、蟹の殻を円滑に排出できないということはなく、円滑に蟹の殻を剥くことが可能である。
【００３６】
また、殻剥き部１３０を使用する場合には、ユーザーはグリップ部１２０を握っても良く、あるいは、凹状領域１１６に指を引っ掛けることにより、蟹用ピーラー１００を保持してもよい。凹状領域１１６に指を引っ掛けることにより、蟹の殻を剥くときに、金属板１１０を確実に、かつ、強固に保持することができる。
【００３７】
また、蟹の殻を剥いた後に、殻の中の身を取り出すときには、アーム１４０を使用する。アーム１４０は金属板１１０の先端から３方向に延びる突出部からなるため、殻の中の身を取り出すときに、極めて容易に身を掬い出すことが可能である。アーム１４０を使用する場合には、ユーザーはグリップ部１２０を握って、蟹用ピーラー１００を保持する。
【００３８】
本実施形態に係る蟹用ピーラー１００の構造は上記の構造に限定されるものではなく、種々の変更が可能である。
【００３９】
例えば、領域１１６は金属板１１０の幅方向の内側に短くなっている凹状の領域として形成されているが、金属板１１０の幅方向の外側に長くなっている凸状の領域として形成することも可能である。領域１１６を凸状の領域として形成しても、蟹の殻を剥くときに殻剥き部１３０を使用する際に、ユーザーは領域１１６に指を引っ掛けることが可能である。
【００４０】
あるいは、凹状または凸状の領域１１６を形成することは必ずしも必要ではなく、場合によっては、領域１１６を形成しないこともある。
【００４１】
また、本実施形態においては、凹状の領域１１６は、グリップ部１２０と、殻剥き部１３０が形成されている領域１１２との間に形成されているが、凹状の領域１１６を形成する位置はこれには限定されない。他の箇所に凹状の領域１１６を形成することも可能である。
【００４２】
また、本実施形態に係る蟹用ピーラー１００においては、アーム１４０の先端を３方向に突出する突出部として形成しているが、突出部の数は３には限定されない。必要に応じて、２または４以上の数を選択することができる。
【００４３】
なお、本明細書において使用される「上方」及び「下方」の語は、例えば、図２を参照すると、金属板１１０を境界としてその何れか一方の側と他方の側を指す語であり、何れを「上方」または「下方」としてもよい。
【００４４】
（第二の実施形態）
図３は、本考案の第二の実施形態に係る蟹用ピーラー２００を上方から見たときの平面図であり、図４は、蟹用ピーラー２００の側面図である。
【００４５】
本実施形態に係る蟹用ピーラー２００は、第一の実施形態に係る蟹用ピーラー１００と比較して、グリップ部の形状が異なっている。
【００４６】
本実施形態に係る蟹用ピーラー２００のグリップ２２０には、その上面に、円形の凹部２３０が形成されている。凹部２３０は殻剥き部１３０に近い方の端部に近接して形成されている。凹部２３０の縦断面は、図４に示すように、円弧をなしている。
【００４７】
ユーザーは、殻剥き部１３０を使用して蟹の殻を剥くときに、あるいは、アーム１４０を使用して蟹の殻から身を掬い出すときに、親指を凹部２３０の中に入れて、蟹用ピーラー２００をより強固に支持することが可能である。
【００４８】
本実施形態においては、凹部２３０の外形を円形としたが、凹部２３０の外形は円形には限定されない。例えば、楕円形、あるいは、金属板１１０の長手方向に長い長方形にすることも可能である。
【００４９】
また、凹部２３０の代わりに、例えば、縦断面が円弧形状をなしているような凸部を形成することも可能である。凸部を形成する場合には、ユーザーは親指を凸部に引っ掛けることができるので、蟹用ピーラー２００をより強固に支持することが可能である。
【００５０】
さらに、凹部２３０または凸部の数は１個には限定されない。複数の凹部２３０または凸部を形成することが可能である。複数の凹部２３０または凸部を形成することにより、ユーザーは都合のいい位置に形成されている凹部２３０または凸部を選択して用いることが可能になる。
【００５１】
本実施形態に係る蟹用ピーラー２００の寸法の一例を以下に示す。
【００５２】
全長：２１０ｍｍ
金属板１１０の厚さ：１．２ｍｍ
殻剥き部１３０の幅：２５ｍｍ
殻剥き部１３０の高さ：１４ｍｍ
殻剥き部１３０の傾斜角度：４５度
グリップ部２２０の長さ：９６ｍｍ
グリップ部２２０の幅：２９ｍｍ
グリップ部２２０の高さ：９ｍｍ
凹部２３０の半径：１１ｍｍ
凹部２３０の縦断面における円弧の半径：１５０ｍｍ
領域１１６をなす円弧の半径：５０ｍｍ
グリップ部２２０の端部（図３の左端）からアーム１４０の先端までの距離：６２ｍｍ
アーム１４０の傾斜角度：３０度
アーム１４０の高さ：  ４．５ｍｍ
蟹用ピーラー２００の長手方向におけるアーム１４０の突出部の長さ：５ｍｍ
アーム１４０の突出部の全幅：８．４ｍｍ
アーム１４０の突出部間の角度：５０度
【図面の簡単な説明】
【００５３】
【図１】本考案の第一の実施形態に係る蟹用ピーラーを上方から見たときの平面図である。
【図２】本考案の第一の実施形態に係る蟹用ピーラーの側面図である。
【図３】本考案の第二の実施形態に係る蟹用ピーラーを上方から見たときの平面図である。
【図４】本考案の第二の実施形態に係る蟹用ピーラーの側面図である。
【図５】従来の蟹用ピーラーの斜視図である。
【符号の説明】
【００５４】
１００  本考案の第一の実施形態に係る蟹用ピーラー
１１０  金属板
１１１、１１４  金属板の端部
１１６  凹状領域
１１３  開口部
１２０  グリップ部
１３０  殻剥き部
１４０  アーム
２００  本考案の第二の実施形態に係る蟹用ピーラー
２２０  グリップ部
２３０  凹部
【図１】
0003127397.tif 000003
【図２】
0003127397.tif 000004
【図３】
0003127397.tif 000005
【図４】
0003127397.tif 000006
【図５】
0003127397.tif 000007